(57)【特許請求の範囲】
【請求項１】
内燃機関の排気通路内に配置されるのに適した、排気ガス中に含まれる粒子状物質を捕集するための排気浄化フィルタであって、交互に配置された排気ガス流入通路及び排気ガス流出通路と、これら排気ガス流入通路及び排気ガス流出通路を互いに隔てる多孔性の隔壁とを備え、隔壁に、平均細孔径が隔壁基材の平均細孔径よりも小さいコート層により隔壁基材表面が覆われたコート領域と、コート領域の下流側において隔壁基材表面が前記コート層により覆われていない非コート領域とが区画され、コート領域に位置する隔壁部分の厚さ方向の流路抵抗が非コート領域に位置する隔壁部分の厚さ方向の流路抵抗よりも小さく、前記隔壁基材の平均細孔径が２５μｍ以上かつ１００μｍ以下に設定される、排気浄化フィルタ。
【請求項２】
コート領域に位置する隔壁基材部分の細孔数が非コート領域に位置する隔壁基材部分の細孔数よりも多い、請求項１に記載の排気浄化フィルタ。
【請求項３】
コート領域の長手方向長さが非コート領域の長手方向長さよりも長い、請求項２に記載の排気浄化フィルタ。
【請求項４】
コート領域に位置する隔壁基材部分の細孔数密度が非コート領域に位置する隔壁基材部分の細孔数密度よりも多い、請求項２又は３に記載の排気浄化フィルタ。
【請求項５】
コート領域に位置する隔壁基材部分の細孔平均径が非コート領域に位置する隔壁基材部分の細孔平均径よりも大きい、請求項１から４までのいずれか一項に記載の排気浄化フィルタ。
【請求項６】
コート領域に位置する隔壁基材部分の厚さが非コート領域に位置する隔壁基材部分の厚さよりも小さい、請求項１から５までのいずれか一項に記載の排気浄化フィルタ。
【請求項７】
前記コート層が酸化機能を有する金属粒子から形成される、請求項１から６までのいずれか一項に記載の排気浄化フィルタ。
【請求項８】
前記コート層を形成する粒子の平均径が１μｍ以上かつ１０μｍ以下に設定される、請求項１から７までのいずれか一項に記載の排気浄化フィルタ。
【発明の詳細な説明】
【技術分野】
【０００１】
本発明は排気浄化フィルタに関する。
【背景技術】
【０００２】
排気ガス中の粒子状物質を捕集するためのパティキュレートフィルタを排気通路内に配置した圧縮着火式内燃機関が公知である。パティキュレートフィルタは、交互に配置された排気ガス流入通路及び排気ガス流出通路と、これら排気ガス流入通路及び排気ガス流出通路を互いに隔てる多孔性の隔壁とを備え、排気ガス流入通路の下流端が下流側栓により閉塞され、排気ガス流出通路の上流端が上流側栓により閉塞される。したがって、排気ガスはまず排気ガス流入通路内に流入し、次いで周囲の隔壁内を通って隣接する排気ガス流出通路内に流出する。その結果、排気ガス中の粒子状物質が隔壁上に捕集され、大気中に放出されるのが抑制される。【０００３】
ところが、パティキュレートフィルタ上の粒子状物質の量が多くなると、パティキュレートフィルタの圧力損失が次第に大きくなる。その結果、機関出力が低下するおそれがある。そこで、この内燃機関では、パティキュレートフィルタを酸化雰囲気に維持しつつパティキュレートフィルタの温度を上昇させるＰＭ除去処理を行い、それにより粒子状物質を燃焼させてパティキュレートフィルタから除去するようにしている。【０００４】
ところで、排気ガス中にはアッシュと称される不燃性成分が含まれており、このアッシュは粒子状物質と共にパティキュレートフィルタに捕集される。ところが、ＰＭ除去処理が行われても、アッシュは燃焼せず又は気化せず、パティキュレートフィルタ上に残留する。このため、機関運転時間が長くなるにつれて、パティキュレートフィルタ上のアッシュ量が次第に増大し、パティキュレートフィルタの圧力損失が次第に大きくなる。その結果、ＰＭ除去処理が繰り返し行われても、機関出力が低下するおそれがある。【０００５】
そこで、下流側栓に貫通孔を形成し、アッシュが貫通孔を介してパティキュレートフィルタから流出するようにしたパティキュレートフィルタが公知である（特許文献１参照）。この特許文献１では、機関運転時間が長くなると貫通孔が粒子状物質により閉塞される。貫通孔が閉塞されると、パティキュレートフィルタは貫通孔を有していない従来のパティキュレートフィルタと同様に粒子状物質を捕集することができる。次いで、ＰＭ除去処理が行われると、貫通孔を閉塞していた粒子状物質が除去され、貫通孔が開放される。その結果、パティキュレートフィルタ上のアッシュが貫通孔を介してパティキュレートフィルタから排出される。
【先行技術文献】
【特許文献】
【０００６】
【特許文献１】特開２００４−１３０２２９号公報
【発明の概要】
【発明が解決しようとする課題】
【０００７】
しかしながら、特許文献１において、機関運転が開始されてから又はＰＭ除去処理が終了してから貫通孔が閉塞されるまでの間は、粒子状物質が貫通孔を介してパティキュレートフィルタから流出してしまう。しかも、特許文献１では、貫通孔の直径が０．２ｍｍ以上に設定されており、このような大きな直径の貫通孔が粒子状物質により閉塞されるにはかなり長い時間を要する。このことは、貫通孔を介してパティキュレートフィルタから流出する粒子状物質の量がかなり多いことを意味する。【０００８】
本発明の目的は、粒子状物質を確実に捕集しつつ排気浄化フィルタの圧力損失がアッシュにより増大するのを抑制することができる排気浄化フィルタを提供することにある。
【課題を解決するための手段】
【０００９】
本発明によれば、内燃機関の排気通路内に配置されるのに適した、排気ガス中に含まれる粒子状物質を捕集するための排気浄化フィルタであって、交互に配置された排気ガス流入通路及び排気ガス流出通路と、これら排気ガス流入通路及び排気ガス流出通路を互いに隔てる多孔性の隔壁とを備え、隔壁に、平均細孔径が隔壁基材の平均細孔径よりも小さいコート層により隔壁基材表面が覆われたコート領域と、コート領域の下流側において隔壁基材表面が前記コート層により覆われていない非コート領域とが区画され、非コート領域において排気ガス中に含まれるアッシュが隔壁を通過できるように隔壁の細孔径が設定されており、コート領域に位置する隔壁部分の厚さ方向の流路抵抗が非コート領域に位置する隔壁部分の厚さ方向の流路抵抗よりも小さい、排気浄化フィルタが提供される。【００１０】
好ましくは、コート領域に位置する隔壁基材部分の細孔数が非コート領域に位置する隔壁基材部分の細孔数よりも多い。更に好ましくは、コート領域の長手方向長さが非コート領域の長手方向長さよりも長い。更に好ましくは、コート領域に位置する隔壁基材部分の細孔数密度が非コート領域に位置する隔壁基材部分の細孔数密度よりも多い。【００１１】
好ましくは、コート領域に位置する隔壁基材部分の細孔平均径が非コート領域に位置する隔壁基材部分の細孔平均径よりも大きい。【００１２】
好ましくは、コート領域に位置する隔壁基材部分の厚さが非コート領域に位置する隔壁基材部分の厚さよりも小さい。【００１３】
好ましくは、前記隔壁基材の平均細孔径が２５μｍ以上かつ１００μｍ以下に設定される。【００１４】
好ましくは、前記コート層が酸化機能を有する金属粒子から形成される。【００１５】
好ましくは、前記コート層を形成する粒子の平均径が１μｍ以上かつ１０μｍ以下に設定される。
【発明の効果】
【００１６】
粒子状物質を確実に捕集しつつ、排気浄化フィルタの圧力損失がアッシュにより増大するのを抑制することができる。
【図面の簡単な説明】
【００１７】
【図１】本発明による実施例の内燃機関の全体図である。
【図２Ａ】パティキュレートフィルタの正面図である。
【図２Ｂ】パティキュレートフィルタの側面断面図である。
【図３】隔壁の部分拡大断面図である。
【図４】コート層の部分拡大断面図である。
【図５】パティキュレートフィルタの作用を説明する概略図である。
【図６】隔壁の模式図である。
【図７】本発明による別の実施例を示す隔壁の模式図である。
【図８】本発明による更に別の実施例を示す隔壁の模式図である。
【図９】本発明による更に別の実施例を示す隔壁の模式図である。
【図１０】本発明による更に別の実施例を示す隔壁の模式図である。
【発明を実施するための形態】
【００１８】
図１を参照すると、１は内燃機関の本体、２は吸気通路、３は排気通路、４は排気通路３内に配置された排気浄化フィルタをそれぞれ示す。図１に示される実施例では排気浄化フィルタ４はウォールフロー型パティキュレートフィルタから構成される。また、図１に示される実施例では内燃機関は圧縮着火式内燃機関から構成される。別の実施例では火花点火式内燃機関から構成される。
【００１９】
図２Ａ及び図２Ｂはパティキュレートフィルタ４の構造を示している。なお、図２Ａはパティキュレートフィルタ４の正面図を示しており、図２Ｂはパティキュレートフィルタ４の側面断面図を示している。図２Ａ及び図２Ｂに示されるようにパティキュレートフィルタ４はハニカム構造をなしており、互いに平行をなして延びる複数個の排気流通路５ｉ，５ｏと、これら排気流通路５ｉ，５ｏを互いに隔てる隔壁６とを具備する。図２Ａに示される実施例では、排気流通路５ｉ，５ｏは、上流端が開放されかつ下流端が栓７ｄにより閉塞された排気ガス流入通路５ｉと、上流端が栓７ｕにより閉塞されかつ下流端が開放された排気ガス流出通路５ｏとにより構成される。なお、図２Ａにおいてハッチングを付した部分は栓７ｕを示している。したがって、排気ガス流入通路５ｉ及び排気ガス流出通路５ｏは薄肉の隔壁６を介して交互に配置される。云い換えると排気ガス流入通路５ｉ及び排気ガス流出通路５ｏは各排気ガス流入通路５ｉが４つの排気ガス流出通路５ｏによって包囲され、各排気ガス流出通路５ｏが４つの排気ガス流入通路５ｉによって包囲されるように配置される。別の実施例では、排気流通路は、上流端及び下流端が開放された排気ガス流入通路と、上流端が栓により閉塞されかつ下流端が開放された排気ガス流出通路とにより構成される。
【００２０】
図２Ｂに示されるように、隔壁６には、コート領域ＣＺと、コート領域ＣＺの下流側に位置する非コート領域ＮＣＺとが区画される。図３に示されるように、コート領域ＣＺでは、隔壁６の基材６ｓの表面がコート層８により覆われる。これに対し、非コート領域ＮＣＺでは、隔壁基材６ｓの表面が上述のコート層８により覆われていない。
【００２１】
図３に示される実施例では、コート層８が排気ガス流入通路５ｉに対面する隔壁基材６ｓの一表面に設けられ、排気ガス流出通路５ｏに対面する隔壁基材６ｓの一表面に設けられない。別の実施例では、コート層８が排気ガス流出通路５ｏに対面する隔壁基材６ｓの一表面に設けられ、排気ガス流入通路５ｉに対面する隔壁基材６ｓの一表面に設けられない。更に別の実施例では、コート層８が排気ガス流入通路５ｉ及び排気ガス流出通路５ｏに対面する隔壁基材６ｓの両表面に設けられる。
【００２２】
図２Ｂに示される実施例では、コート領域ＣＺの上流縁は隔壁６の上流端にほぼ一致している。別の実施例では、コート領域ＣＺの上流縁は隔壁６の上流端よりも下流側に位置する。また、図２Ｂに示される実施例では、非コート領域ＮＣＺの下流縁は隔壁６の下流端にほぼ一致している。別の実施例では、非コート領域ＮＣＺの下流縁は隔壁６の下流端よりも上流側に位置する。
【００２３】
隔壁基材６ｓは多孔質材料、例えばコージェライト、炭化ケイ素、窒化ケイ素、ジルコニア、チタニア、アルミナ、シリカ、ムライト、リチウムアルミニウムシリケート、リン酸ジルコニウムのようなセラミックから形成される。
【００２４】
一方、コート層８は図４に示されるように多数の粒子９から形成され、粒子９同士の間に多数の隙間ないし細孔１０を有する。したがって、コート層８は多孔性を有する。したがって、図２Ｂに矢印で示されるように、排気ガスはまず排気ガス流入通路５ｉ内に流入し、次いで周囲の隔壁６内を通って隣接する排気ガス流出通路５ｏ内に流出する。
【００２５】
図４に示される実施例では、粒子９は酸化機能を有する金属から構成される。酸化機能を有する金属として、白金Ｐｔ、ロジウムＲｈ、パラジウムＰｄのような白金族の金属を用いることができる。別の実施例では、粒子９は隔壁基材６ｓと同様のセラミックから構成される。更に別の実施例では、粒子９はセラミック及び金属の一方又は両方から構成される。
【００２６】
隔壁基材６ｓの平均細孔径は２５μｍ以上かつ１００μｍ以下に設定される。隔壁基材６ｓの平均細孔径が２５μｍ以上であると、排気ガス中に含まれるアッシュの大部分が隔壁６を通過できることが本願発明者らにより確認されている。したがって、言い換えると、非コート領域ＮＣＺにおいて排気ガス中に含まれるアッシュが隔壁６を通過できるように隔壁６の細孔径が設定される。なお、粒子状物質の平均粒径がアッシュの平均粒径よりも小さいことを考えると、非コート領域ＮＣＺにおいて粒子状物質及びアッシュが隔壁６を通過できるように隔壁６の細孔径が設定されるという見方もできる。
【００２７】
コート層８の平均細孔径は隔壁基材６ｓの平均細孔径よりも小さく設定される。具体的には、コート層８の平均細孔径は、コート層８が排気ガス中に含まれる粒子状物質を捕集できるように設定される。更に、粒子９（二次粒子）の平均径は１μｍ以上かつ１０μｍ以下に設定される。粒子９の平均径が１μｍよりも小さいと、コート層８を通過する粒子状物質の量が許容量よりも多くなる。また、粒子９の平均径が１０μｍよりも大きいと、パティキュレートフィルタ４ないしコート層８の圧力損失が許容値よりも大きくなる。
【００２８】
なお、本発明による実施例では、隔壁基材の細孔の平均径は水銀圧入法により得られた細孔径分布のメディアン径（５０％径）を意味し、粒子の平均径はレーザ回折・散乱法により得られた体積基準の粒度分布のメディアン径（５０％径）を意味する。
【００２９】
さて、排気ガス中には主として固体炭素から形成される粒子状物質が含まれている。この粒子状物質はパティキュレートフィルタ４上に捕集される。
【００３０】
また、排気ガス中にはアッシュも含まれており、このアッシュも粒子状物質と共にパティキュレートフィルタ４に捕集される。このアッシュは主として硫酸カルシウムＣａＳＯ４、リン酸亜鉛カルシウムＣａ１９Ｚｎ２（ＰＯ４）１４のようなカルシウム塩から形成されることが本願発明者により確認されている。カルシウムＣａ，亜鉛Ｚｎ，リンＰ等は機関潤滑油に由来し、イオウＳは燃料に由来する。すなわち、硫酸カルシウムＣａＳＯ４を例にとって説明すると、機関潤滑油が燃焼室２内に流入して燃焼し、潤滑油中のカルシウムＣａが燃料中のイオウＳと結合することにより硫酸カルシウムＣａＳＯ４が生成される。
【００３１】
本願発明者らによれば、平均細孔径が１０μｍから２５μｍ程度でコート層８を備えていない従来のパティキュレートフィルタ、言い換えるとアッシュがほとんど通過できないパティキュレートフィルタを機関排気通路内に配置した場合、粒子状物質は隔壁６の下流側部分よりも隔壁６の上流側部分に堆積する傾向にあり、アッシュは隔壁６の上流側部分よりも隔壁６の下流側部分に堆積する傾向にあることが確認されている。
【００３２】
そこで、本発明による実施例では、隔壁６の上流側にコート領域ＣＺを設け、隔壁６の下流側に非コート領域ＮＣＺを設けている。その結果、図５に示されるように粒子状物質２０が上流側のコート領域ＣＺにおいて隔壁６に捕集され、アッシュ２１が下流側の非コート領域ＮＣＺにおいて隔壁６を通過する。したがって、粒子状物質がパティキュレートフィルタ４を通過するのを抑制しつつ、アッシュがパティキュレートフィルタ４に堆積するのを抑制することができる。言い換えると、粒子状物質を確実に捕集しつつパティキュレートフィルタ４の圧力損失がアッシュにより増大するのを抑制することができる。
【００３３】
なお、図１に示される実施例では、パティキュレートフィルタ４上に捕集されている粒子状物質の量が上限量よりも多くなるごとに、パティキュレートフィルタ４から粒子状物質を除去するＰＭ除去処理が行われる。ＰＭ除去処理では例えばパティキュレートフィルタが酸化雰囲気に維持されつつパティキュレートフィルタの温度が上昇され、それにより粒子状物質が燃焼される。
【００３４】
ところで、粒子状物質がコート領域ＣＺにおいて隔壁６に捕集されることなく非コート領域ＮＣＺまで到達すると、粒子状物質が非コート領域ＮＣＺにおける隔壁６を通過し、大気中に排出されてしまう。
【００３５】
そこで本発明による実施例では、コート領域ＣＺに位置する隔壁部分の厚さ方向の流路抵抗が非コート領域ＮＣＺに位置する隔壁部分の厚さ方向の流路抵抗よりも小さくなるように隔壁６が形成される。その結果、排気ガス流入通路５ｉ内に流入した排気ガスがコート領域ＣＺに位置する隔壁部分を通過するのが促進され、非コート領域ＮＣＺに位置する隔壁部分を通過するのが抑制される。したがって、粒子状物質を更に確実に捕集しつつパティキュレートフィルタ４の圧力損失がアッシュにより増大するのが更に抑制される。
【００３６】
図６を参照して具体的に説明する。図６は図２Ｂに示される実施例の隔壁６を模式的に示している。図６において、Ｐｃはコート領域ＣＺに位置する隔壁基材部分６ｓｃに形成される細孔を、Ｐｎｃは非コート領域ＮＣＺに位置する隔壁基材部分６ｓｎｃに形成される細孔を、それぞれ示している。図６からわかるように、コート領域ＣＺに位置する隔壁基材部分６ｓｃの細孔平均径及び細孔数密度と、非コート領域ＮＣＺに位置する隔壁基材部分６ｓｎｃの細孔平均径及び細孔数密度とは互いにほぼ等しくなっている。ここで、隔壁基材部分の細孔数密度は隔壁基材部分単位容積当たりに含まれる細孔の数であり、隔壁基材部分の空隙率でも表される。また、コート領域ＣＺに位置する隔壁基材部分６ｓｃの厚さｄｃと、非コート領域ＮＣＺに位置する隔壁基材部分６ｓｎｃの厚さｄｎｃも互いにほぼ等しくなっている。その上で、図６に示される実施例では、コート領域ＣＺの長手方向長さＬｃが非コート領域ＮＣＺの長手方向長さＬｎｃよりも長くなっている。言い換えると、コート領域ＣＺに位置する隔壁基材部分６ｓｃの長さＬｃが非コート領域ＮＣＺに位置する隔壁基材部分６ｓｎｃの長さＬｎｃよりも長くなっている。その結果、コート領域ＣＺに位置する隔壁基材部分６ｓｃの細孔数が非コート領域ＮＣＺに位置する隔壁基材部分６ｓｎｃの細孔数よりも多くなっている。したがって、コート領域ＣＺに位置する隔壁部分の流路抵抗が非コート領域ＮＣＺに位置する隔壁部分の流路抵抗よりも小さくなる。
【００３７】
なお、図６に示される実施例では、非コート領域ＮＣＺにコート層が設けられていない。別の実施例では、非コート領域ＮＣＺに、コート層８とは異なる別のコート層が設けられる。この場合、非コート領域ＮＣＺに位置する隔壁基材部分６ｓｎｃの細孔平均径は別のコート層が設けられた状態において、コート領域ＣＺに位置する隔壁基材部分６ｓｃの細孔平均径とほぼ等しくされ、２５μｍ以上１００μｍ以下に設定される。この別のコート層は例えば酸化機能を有する金属を担持した触媒コート層から形成される。その結果、非コート領域ＮＣＺに到達した粒子状物質を容易に酸化除去することができる。
【００３８】
図７は本発明による別の実施例を示している。以下では、図６に示される実施例との相違点を説明する。
【００３９】
図７に示される実施例では、コート領域ＣＺの長手方向長さは非コート領域ＮＣＺの長手方向長さとほぼ等しくなっており、コート領域ＣＺに位置する隔壁基材部分６ｓｃの細孔平均径及び厚さと、非コート領域ＮＣＺに位置する隔壁基材部分６ｓｎｃの細孔平均径及び厚さとは互いにほぼ等しくなっている。その上で、コート領域ＣＺに位置する隔壁基材部分６ｓｃの細孔数密度が非コート領域ＮＣＺに位置する隔壁基材部分６ｓｎｃの細孔数密度よりも多くなっている。その結果、隔壁基材部分６ｓｃの細孔数が隔壁基材部分６ｓｎｃの細孔数よりも多くなり、コート領域ＣＺに位置する隔壁部分の流路抵抗が非コート領域ＮＣＺに位置する隔壁部分の流路抵抗よりも小さくなる。
【００４０】
なお、細孔は例えば次のようにして隔壁基材に形成される。すなわち、開口剤が基材原料に混合され、次いで基材が焼成される。このとき開口剤が消失し、それにより隔壁基材に細孔が形成される。したがって、基材原料に混合される開口剤の量を多くすることにより、細孔数密度が高くされる。
【００４１】
図８は本発明による更に別の実施例を示している。以下では、図６に示される実施例との相違点を説明する。
【００４２】
図８に示される実施例では、コート領域ＣＺの長手方向長さは非コート領域ＮＣＺの長手方向長さとほぼ等しくなっており、コート領域ＣＺに位置する隔壁基材部分６ｓｃの細孔数密度及び厚さと、非コート領域ＮＣＺに位置する隔壁基材部分６ｓｎｃの細孔数密度及び厚さとは互いにほぼ等しくなっている。その上で、コート領域ＣＺに位置する隔壁基材部分６ｓｃの細孔平均径が非コート領域ＮＣＺに位置する隔壁基材部分６ｓｎｃの細孔平均径よりも大きくなっている。その結果、コート領域ＣＺに位置する隔壁部分の流路抵抗が非コート領域ＮＣＺに位置する隔壁部分の流路抵抗よりも小さくなる。
【００４３】
図９は本発明による更に別の実施例を示している。以下では、図８に示される実施例との相違点を説明する。
【００４４】
図９に示される実施例では、コート領域ＣＺの長手方向長さが非コート領域ＮＣＺの長手方向長さとほぼ等しく、コート領域ＣＺに位置する隔壁基材部分６ｓｃの細孔平均径、細孔数密度及び厚さと、非コート領域ＮＣＺに位置する隔壁基材部分６ｓｎｃの細孔平均径、細孔数密度及び厚さとが互いにほぼ等しい隔壁６が用意される。次いで、非コート領域ＮＣＺに位置する隔壁基材部分６ｓｎｃの細孔Ｐｎｃの内壁面に追加のコート層ＣＰが形成され、コート領域ＮＣＺに位置する隔壁基材部分６ｓｎｃの細孔Ｐｃの内壁面には追加のコート層ＣＰが形成されない。その結果、コート領域ＣＺに位置する隔壁基材部分６ｓｃの細孔平均径が非コート領域ＮＣＺに位置する隔壁基材部分６ｓｎｃの細孔平均径よりも大きくされる。なお、追加のコート層ＣＰには触媒が担持される。
【００４５】
図１０は本発明による更に別の実施例を示している。以下では、図６に示される実施例との相違点を説明する。
【００４６】
図１０に示される実施例では、コート領域ＣＺの長手方向長さは非コート領域ＮＣＺの長手方向長さとほぼ等しくなっており、コート領域ＣＺに位置する隔壁基材部分６ｓｃの細孔平均径及び細孔数密度と、非コート領域ＮＣＺに位置する隔壁基材部分６ｓｎｃの細孔平均径及び細孔数密度とは互いにほぼ等しくなっている。その上で、コート領域ＣＺに位置する隔壁基材部分６ｓｃの厚さｄｃが非コート領域ＮＣＺに位置する隔壁基材部分６ｓｎｃの厚さｄｎｃよりも小さくなっている。その結果、コート領域ＣＺに位置する隔壁部分の流路抵抗が非コート領域ＮＣＺに位置する隔壁部分の流路抵抗よりも小さくなる。
【００４７】
更に別の実施例では、図６から図１０に示される実施例の少なくとも２つが互いに組み合わされる。例えば、コート領域ＣＺの長手方向長さが非コート領域ＮＣＺの長手方向長さよりも長くされると共に、コート領域ＣＺに位置する隔壁基材部分６ｓｃの細孔数密度が非コート領域ＮＣＺに位置する隔壁基材部分６ｓｎｃの細孔数密度よりも多くされる。
【００４８】
なお、コート領域ＣＺに位置する隔壁部分の厚さ方向の流路抵抗はコート領域ＣＺに位置する隔壁基材部分６ｓｃの厚さ方向の流路抵抗だけでなくコート層８の厚さ方向の流路抵抗にも依存する。したがって、例えば図６に示される実施例において、コート領域ＣＺの長手方向長さＬｃが非コート領域ＮＣＺの長手方向長さＬｎｃよりも長いというだけでは、コート領域ＣＺに位置する隔壁部分の厚さ方向の流路抵抗が非コート領域ＮＣＺに位置する隔壁部分の厚さ方向の流路抵抗よりも小さいとは限らない。同様に、図１０に示される実施例において、コート領域ＣＺに位置する隔壁基材部分６ｓｃの厚さｄｃが非コート領域ＮＣＺに位置する隔壁基材部分６ｓｎｃの厚さｄｎｃよりも小さいというだけでは、コート領域ＣＺに位置する隔壁部分の厚さ方向の流路抵抗が非コート領域ＮＣＺに位置する隔壁部分の厚さ方向の流路抵抗よりも小さいとは限らない。本発明では、コート領域ＣＺに位置する隔壁部分の厚さ方向の流路抵抗が非コート領域ＮＣＺに位置する隔壁部分の厚さ方向の流路抵抗よりも小さくなることが必要である。
【符号の説明】
【００４９】
１    機関本体
３    排気通路
４    パティキュレートフィルタ
５ｉ    排気ガス流入通路
５ｏ    排気ガス流出通路
６    隔壁
８    コート層
ＣＺ    コート領域
ＮＣＺ    非コート領域
【図１】
0005975111.tif 000002
【図２Ａ】
0005975111.tif 000003
【図２Ｂ】
0005975111.tif 000004
【図３】
0005975111.tif 000005
【図４】
0005975111.tif 000006
【図５】
0005975111.tif 000007
【図６】
0005975111.tif 000008
【図７】
0005975111.tif 000009
【図８】
0005975111.tif 000010
【図９】
0005975111.tif 000011
【図１０】
0005975111.tif 000012